(57)【特許請求の範囲】
【請求項１】
ローカルクライアント／サーバ・ペアを有する移動式無線通信装置内のサーバ装置の接続状態を管理する方法であって、
前記ローカルクライアント／サーバ・ペアの接続状態の変更を示す情報又はネットワーク状態の変更を示す情報を受信するステップと、
前記受信した情報が、前記接続状態の変更を示す情報又は前記ネットワーク状態の変更を示す情報のいずれであるかを区別する処理を行うステップと、
前記処理に応じ、前記ローカルクライアント／サーバ・ペアの接続状態の変更が生じている場合にはクライアント／サーバ状態信号を生成し、ネットワーク状態の変更が生じている場合には異なる状態信号を生成するステップと、
前記生成された状態信号を前記サーバ装置に送信するステップとを含む
方法。
【請求項２】
前記ローカルクライアント／サーバ・ペアの接続状態の変更を示す情報を受信した場合は、
前記処理を行うステップでは、前記変更の内容を特定し、
前記生成するステップでは、前記特定の結果に基づき、対応するクライアント／サーバ状態信号を生成する
請求項１に記載の方法。
【請求項３】
前記接続状態の変更が、前記サーバが遠隔のクライアントからの接続を待機している状態への変更である場合、
前記サーバが接続を待機していることを示すクライアント／サーバ状態信号が生成される
請求項２に記載の方法。
【請求項４】
前記サーバが接続を待機していることを示すクライアント／サーバ状態信号は、前記遠隔のクライアントがリクエストを送信する前に生成される
請求項３に記載の方法。
【請求項５】
前記接続状態の変更が、接続中の状態への変更である場合、
前記クライアント／サーバ・ペアが接続中であることを示すクライアント／サーバ状態信号が生成される
請求項２に記載の方法。
【請求項６】
前記クライアント／サーバ・ペアが接続中であることを示すクライアント／サーバ状態信号は、前記遠隔のクライアントがリクエストを送信した後に生成される
請求項５に記載の方法。
【請求項７】
前記クライアント／サーバ・ペアが接続中であることを示すクライアント／サーバ状態信号は、前記サーバが接続を待機していることを示す第１のクライアント／サーバ状態信号に続いて生成される、第２のクライアント／サーバ状態信号である
請求項５又は６に記載の方法。
【請求項８】
前記接続状態の変更が、切断状態への変更である場合、
前記サーバが接続を待機していることを示すクライアント／サーバ状態信号が生成される
請求項２に記載の方法。
【請求項９】
前記接続状態の変更が、切断状態への変更である場合、
前記クライアント／サーバ・ペアが切断されていることを示すクライアント／サーバ状態信号が生成される
請求項２に記載の方法。
【請求項１０】
ネットワークと通信するための移動式無線通信装置であって、
前記装置は、
ローカルクライアント／サーバ・ペアと、
サーバ装置と前記ローカルクライアント／サーバ・ペアとの間の通信路に対する前記サーバ装置の接続状態を管理する手段とを含み、
前記管理する手段は、
ローカルクライアント／サーバ・ペアの接続状態の変更を示す情報又はネットワーク状態の変更を示す情報を受信し、
前記受信した情報が、前記接続状態の変更を示す情報又は前記ネットワーク状態の変更を示す情報のいずれであるかを区別する処理を行い、
前記処理に応じ、前記ローカルクライアント／サーバ・ペアの接続状態の変更が生じている場合にはクライアント／サーバ状態信号を生成し、ネットワーク状態の変更が生じている場合には異なる状態信号を生成し、
前記生成された信号を前記サーバ装置に送信するよう構成されている
移動式無線通信装置。
【請求項１１】
前記サーバ装置をさらに含む
請求項１０に記載の移動式無線通信装置。
【請求項１２】
前記サーバ装置はスマートカードサーバ装置で構成されている
請求項１１に記載の移動式無線通信装置。
【請求項１３】
前記クライアント／サーバ・ペアは、転送接続プロトコル（Ｔｒａｎｓｐｏｒｔ  Ｃｏｎｎｅｃｔｉｏｎ  Ｐｒｏｔｏｃｏｌ）のクライアント／サーバ・ペアである
請求項１０に記載の移動式無線通信装置。
【請求項１４】
前記管理する手段は、
受信した前記ローカルクライアント／サーバ・ペアの接続状態の変更を示す情報を処理して、前記変更の内容を特定し、
前記特定に基づき、対応するクライアント／サーバ状態信号を生成するよう構成されている
請求項１０乃至１３のいずれか１項に記載の移動式無線通信装置。
【請求項１５】
前記管理する手段は、
前記接続状態の変更が、前記サーバが遠隔のクライアントからの接続を待機している状態への変更である場合、
前記サーバが接続を待機していることを示すクライアント／サーバ状態信号が生成されるよう構成されている
請求項１４に記載の移動式無線通信装置。
【請求項１６】
前記管理する手段は、
前記サーバが接続を待機していることを示すクライアント／サーバ状態信号は、前記遠隔のクライアントがリクエストを送信する前に生成されるよう構成されている
請求項１５に記載の移動式無線通信装置。
【請求項１７】
前記管理する手段は、
前記接続状態の変更が、接続中の状態への変更である場合、
前記クライアント／サーバ・ペアが接続中であることを示すクライアント／サーバ状態信号が生成されるよう構成されている
請求項１４に記載の移動式無線通信装置。
【請求項１８】
前記管理する手段は、
前記クライアント／サーバ・ペアが接続中であることを示すクライアント／サーバ状態信号は、前記遠隔のクライアントがリクエストを送信した後に生成されるよう構成されている
請求項１７に記載の移動式無線通信装置。
【請求項１９】
前記管理する手段は、
前記クライアント／サーバ・ペアが接続中であることを示すクライアント／サーバ状態信号は、前記サーバが接続を待機していることを示す第１のクライアント／サーバ状態信号に続いて生成される、第２のクライアント／サーバ状態信号であるよう構成されている
請求項１７に記載の移動式無線通信装置。
【請求項２０】
前記管理する手段は、
前記接続状態の変更が、切断状態への変更である場合、
前記サーバが接続を待機していることを示すクライアント／サーバ状態信号が生成されるよう構成されている
請求項１４に記載の移動式無線通信装置。
【請求項２１】
前記管理する手段は、
前記接続状態の変更が、切断状態への変更である場合、
前記クライアント／サーバ・ペアが切断されていることを示すクライアント／サーバ状態信号が生成されるよう構成されている
請求項１４に記載の移動式無線通信装置。
【請求項２２】
移動式無線通信装置と共に用いられるサーバ装置であって、
前記サーバ装置は、
前記移動式無線通信装置のローカルクライアント／サーバ・ペアとの通信路を確立する手段と、
前記ローカルクライアント／サーバ・ペアの接続状態の変更が生じている場合には前記移動式無線通信装置からクライアント／サーバ状態信号を受信し、ネットワーク状態の変更が生じている場合には異なる状態信号を受信する手段と、
前記受信した状態信号が、前記クライアント／サーバ状態信号又は前記異なる状態信号のいずれであるかを区別する処理を行う手段と、
前記クライアント／サーバ状態信号を受信した場合、前記通信路を維持する手段とを含む
サーバ装置。
【請求項２３】
前記受信する手段は、
前記クライアント／サーバ・ペアが切断されていることを示すクライアント／サーバ状態信号を受信するよう構成され、
前記通信路を維持する手段は、
前記クライアント／サーバ・ペアが切断されていることを示すクライアント／サーバ状態信号を受信したとき、前記通信路を維持するよう構成されている
請求項２２に記載のサーバ装置。
【請求項２４】
前記受信する手段は、
前記サーバが接続を待機していることを示すクライアント／サーバ状態信号を受信するよう構成され、
前記通信路を維持する手段は、
前記サーバが接続を待機していることを示すクライアント／サーバ状態信号を受信したとき、前記通信路を維持するよう構成されている
請求項２２に記載のサーバ装置。
【請求項２５】
前記受信する手段は、
前記クライアント／サーバ・ペアが接続中であることを示すクライアント／サーバ状態信号を受信するよう構成され、
前記サーバ装置は、
前記クライアント／サーバ・ペアが接続中であることを示すクライアント／サーバ状態信号を受信した後、前記通信路を介してデータ交換を行う手段を含む
請求項２２乃至２４のいずれか１項に記載のサーバ装置。
【請求項２６】
サーバ装置において、移動式無線通信装置との通信を管理するための方法であって、
前記移動式無線通信装置のローカルクライアント／サーバ・ペアとの通信路を確立するステップと、
前記クライアント／サーバ・ペアの接続状態の変更に応じて生成されるクライアント／サーバ状態信号又はネットワーク状態の変更に応じて生成される異なる状態信号のいずれかの状態信号を、前記移動式無線通信装置から受信するステップと、
前記受信した状態信号が、前記クライアント／サーバ状態信号又は前記異なる状態信号のいずれであるかを区別する処理を行うステップと、
前記処理により前記クライアント／サーバ状態信号を受信したと判明した場合、前記通信路を維持するステップとを含む
方法。
【請求項２７】
前記受信するステップでは、
前記クライアント／サーバ・ペアが切断されていることを示すクライアント／サーバ状態信号を受信し、
前記維持するステップでは、
前記クライアント／サーバ・ペアが切断されていることを示すクライアント／サーバ状態信号を受信したとき、前記通信路を維持する
請求項２６に記載の方法。
【請求項２８】
前記受信するステップでは、
前記サーバが接続を待機していることを示すクライアント／サーバ状態信号を受信し、
前記通信路を維持するステップでは、
前記サーバが接続を待機していることを示すクライアント／サーバ状態信号を受信したとき、前記通信路を維持する
請求項２６に記載の方法。
【請求項２９】
前記受信するステップでは、
前記クライアント／サーバ・ペアが接続中であることを示すクライアント／サーバ状態信号を受信し、
前記方法はさらに、
前記クライアント／サーバ・ペアが接続中であることを示すクライアント／サーバ状態信号を受信した後、前記通信路を介してデータ交換を行うステップを含む
請求項２６に記載の方法。
【請求項３０】
サーバ装置と、前記サーバ装置と接続するための通信路とを内部に有する移動式無線通信装置であって、
前記移動式無線通信装置はローカルＴＣＰクライアント／サーバ・ペアを有し、
前記クライアント／サーバ・ペアが切断された旨の通知を受信すると、前記クライアントが前記クライアント／サーバ・ペアの接続をリセットしたことを示す状態信号を前記サーバ装置に送信するとともに、
前記クライアントが前記サーバに接続された旨の通知を受信すると、前記クライアントが接続されたことを示す状態信号を前記サーバ装置に送信する
移動式無線通信装置。
【発明の詳細な説明】
【技術分野】
【０００１】
本発明は移動式無線通信装置及びその接続状態の管理方法に関する。
【背景技術】
【０００２】
携帯電話装置その他の移動式無線通信装置の機能が増加しつつある。これは、携帯電話装置に使用される各種回路や作動用ソフトウェアの技術的な進歩、あるいは、ネットワークの動作及び特性における改良に起因するものである。
【０００３】
近年の技術改良は携帯電話装置に使用されている加入者特定モジュール（ＳＩＭ：Ｓｕｂｓｃｒｉｂｅｒ  Ｉｄｅｎｔｉｆｉｃａｔｉｏｎ  Ｍｏｄｕｌｅ）カードに集中しており、特に、加入者特定モジュールカードを用いた装置におけるインターネット関連の技術の発展が著しい。
【０００４】
そのような技術の一つとして、加入者特定モジュールカード内において作動するウェブサーバーの提供がある。これは、既にあるマルチメディアの機能（例えば、データ表示や情報処理など）の利点を確保しつつ、加入者特定モジュールをベースとする各種サービスの提供をも可能にするものである。
【０００５】
すなわち、そのような加入者特定モジュールカード（スマートカード）用ウェブサーバーを提供することによって、インターネット関連の技術を加入者特定モジュールカードの各種応用品に組み入れることが可能になり、さらに、これによって、加入者特定モジュールをベースとする各種サービスに対するグラフィカル・ユーザー・インターフェイス（ＧＵＩ）の使用、ブラウザーのホームページなどの静止ページの記憶、動的ウェブページの使用などの利点を得ることができるようになる。
【０００６】
そのようなページは、オンライン収益を増やす手段として、ネットワーク提供者にとっては魅力的なものである。
【０００７】
さらに、加入者特定モジュールをベースとする各種サービスのメニューは、エンドユーザーの嗜好や要求に合わせて、容易に変更することが可能である。
【０００８】
携帯電話装置の加入者特定モジュール用ウェブサーバーへの接続は、伝達独立プロトコール（ＢＩＰ：Ｂｅａｒｅｒ  Ｉｎｄｅｐｅｎｄｅｎｔ  Ｐｒｏｔｏｃｏｌ）チャネルにより行うことができ、そのようなＢＩＰサーバーを用いることにより、遠方の加入者特定モジュールカード用ウェブサーバーの携帯電話装置に対する補助を行うことになる。すなわち、携帯電話装置のブラウザーにより容易にアクセス可能になる。
【発明の概要】
【発明が解決しようとする課題】
【０００９】
しかしながら、チャネル状態信号が携帯電話装置の内部で使用され、展開される際には、色々な問題点を避けることができない。特に、加入者特定モジュールカード用ウェブサーバーあるいは関連する転送接続プロトコール（ＴＣＰ：Ｔｒａｎｓｐｏｒｔ  Ｃｏｎｎｅｃｔｉｏｎ  Ｐｒｏｔｏｃｏｌ）のクライアント／サーバー・ペアとの接続に関する問題点である。
【００１０】
従来技術における問題点に関して、以下にも述べるように、携帯電話装置のユーザーがクライアント／サーバー・ペアとの接続を失い、そのため、加入者特定モジュールカード用ウェブサーバーに対応するブラウザーが再接続を試みる、ということがよく起こる。このような再接続の際にはデータ交換が行われるが、データ交換を行うことにより、携帯電話装置内における作動処理の速度を低下させることになる。
【００１１】
さらに、ＴＣＰクライアント／サーバー・ペアにおけるサーバーが再接続のための準備を完了し、次いで、接続を行うために加入者特定モジュールカード用ウェブサーバーが閉じ、さらに、チャネルを再開させる際にも、問題点が存在する。そのような再接続及びそれに対応するチャネルの閉鎖及び再開によって、生成するメッセージの量が増加し、これにより、携帯電話装置内におけるデータ交換が遅くなるという欠点が生じる。
【００１２】
一般的に、現行のシステムにおける問題点は、クライアントモードにおいて、伝達接続の状態を示す手段として、「ラインドロップ・パケット接続オン（ｌｉｎｅ  ｄｒｏｐｐｅｄ  ｗｉｔｈ  ｐａｃｋｅｔ  ｃｏｎｎｅｃｔｉｏｎ  ａｃｔｉｖａｔｅｄ）」状態信号または「ラインドロップ・パケット接続オフ（ｌｉｎｅ  ｄｒｏｐｐｅｄ  ｗｉｔｈ  ｐａｃｋｅｔ  ｃｏｎｎｅｃｔｉｏｎ  ｄｅａｃｔｉｖａｔｅｄ）」状態信号しか用意されていないという点である。
【００１３】
図１、図２及び図３は、従来の移動式無線通信装置において生じるチャネル状態を示すタイミングチャートである。
【００１４】
以下、図１乃至図３を参照して、従来の移動式無線通信装置における問題点を説明する。
【００１５】
図１は、ネットワーク１０、ブラウザー１２、ＴＣＰ／ＩＰクライアント１４、ＴＣＰ／ＩＰサーバー１６、ＵＳＡＴ１８、ＵＳＩＭＭ２０、広域移動通信システム集積回路カード（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ  Ｉｎｔｅｇｒａｔｅｄ  Ｃｉｒｃｕｉｔ  Ｃａｒｄ：ＵＩＣＣ）としてのウェブサーバー回路カード２２の間における移動式無線通信装置の送信状況に関連するチャネル状態事象を示すタイミングチャートである。
【００１６】
上述のように、クライアントモードにおける現在のＩＰ仕様によれば、伝達接続の状態は「ラインドロップ・パケット接続オン」状態信号及び「ラインドロップ・パケット接続オフ」状態信号によってのみ提供される。
【００１７】
図１に示すように、「通常のサービス」信号２４がネットワーク１０から発せられると、ＵＳＡＴ１８及びＵＳＩＭＭ２０からチャネル状態信号２６が発せられ、パケット接続がオンになったことまたはリンクが確立されたことが確認される。
【００１８】
次いで、矢印２８に示すように、移動式無線通信装置はネットワーク１０の新しい状態の受信を待つ待機モードになる。
【００１９】
矢印３０に示すように、ネットワーク１０から、例えば、「サービスなし」のような新しいネットワーク状態を受信すると、ウェブサーバー回路カード２２に対するチャネル状態信号３２は「ラインドロップ・パケット接続オン」状態信号に変化する。
【００２０】
ただし、「サービスなし」信号は、移動式無線通信装置が一時的にサービス領域外になったときにも発生するが、パケット接続はネットワーク１０によってはオフにはならない。これにより、「ラインドロップ・パケット接続オン」または「リンク遮断」状態信号３２が発生する。
【００２１】
次いで、移動式無線通信装置は、矢印３４に示すように、ネットワーク１０の新しい状態を再び待つことになる。
【００２２】
ネットワーク１０の新しい状態、例えば、矢印３６に示すように、「サービス終了」をネットワーク１０から受信すると、ネットワーク１０によりパケット接続はオフになり、データリンクは遮断される。これにより、「パケット接続オフ」または「リンク未確立」を示すチャネル状態信号３８が発生する。
【００２３】
上記のチャネル状態信号は、主として、ネットワーク１０の状態（すなわち、ネットワーク１０から発せられる信号）を示すために使用されるものであり、ＴＣＰクライアント／サーバー・ペアの接続状態を示すためには使用されない。
【００２４】
ＴＣＰクライアント／サーバー・ペアの接続状態には、「待機」、「待機及び接続」、「待機及び切断」、さらに、再び「待機」などの各種の状態が含まれる。
【００２５】
待機の場合、ＴＣＰ／ＩＰサーバー１６は遠方のクライアントからの接続を待ち、それ以後のデータ交換のために遠方のクライアントとＴＣＰ／ＩＰサーバー１６との間の接続が確立すると、「待機及び接続」の状態信号が発せられる。
【００２６】
遠方のクライアントがＴＣＰ／ＩＰサーバー１６との接続を遮断すると、接続遮断状態信号がＴＣＰ／ＩＰサーバー１６に送信され、「待機及び切断」状態となる。
【００２７】
上述のように、上記のチャネル状態の管理方法では種々の問題点が生じる。
【００２８】
例えば、その時点における伝達接続チャネル状態信号、すなわち、「リンク確立またはパケット接続オン」あるいは「リンク未確立またはパケット接続オフ」の状態信号に関連して、加入者特定モジュールカード（スマートカード）用ウェブサーバーは、「リンク確立」及び「リンク未確立」状態信号の二つがあるため、クライアントが接続を確立しているか否かの判定を行うことができない。
【００２９】
さらに、この場合、加入者特定モジュールカード（スマートカード）用ウェブサーバーは、クライアント接続状態信号とネットワーク変化状態信号との差異を認識することができない。
【００３０】
このため、ネットワーク１０が移動式無線通信装置に対して変化状態信号を送信すると、ウェブサーバー回路カード２２に対して、改変されたチャネル状態信号が送られることになる。
【００３１】
例えば、ネットワーク１０から「サービス終了」の状態信号を受信すると、移動式無線通信装置が、図１に示すように、「リンク未確立」の状態信号を送信し、ウェブサーバー回路カード２２は閉チャネル状態信号を送信することになる。この閉チャネル状態信号はクライアントとの接続をリセットする機能を有している。
【００３２】
このような動作は次のような不利益をもたらす。すなわち、ユーザーにとっては、一時的に接続が遮断され、ブラウザー１２は再接続と、そのような再接続に関連してのデータ交換を試みることになる。これにより、移動式無線通信装置におけるデータ交換の速度が低下する。
【００３３】
従来技術におけるそのような問題のある動作を図２に示す。
【００３４】
図２は、ネットワークと接続した移動式無線通信装置内において発生する状態信号と、ネットワーク４０、ブラウザー４２、ＴＣＰ／ＩＰクライアント４４、ＴＣＰ／ＩＰサーバー４６、ＢＩＰ／ＳＡＴＳ４８、ウェブサーバー回路カード５０とを示すタイミングチャートである。
【００３５】
ウェブサーバー回路カード５０により示されるチャネル状態は、矢印５２に示すように、当初は、「開チャネル」状態であり、これは自動再接続フラグをオフにした状態で生じる。
【００３６】
先ず、ブラウザー４２は、矢印５４に示すように、最初の要求を送るが、それ以前では、ＢＩＰチャネル状態は、矢印５６に示すように、「リンク未確立」である。
【００３７】
ウェブサーバー回路カード５０に送られるこのＴＣＰ接続状態は、矢印５８に示すように、ＴＣＰ／ＩＰクライアント４４とＴＣＰ／ＩＰサーバー４６との間で接続６０が確立すると、「リンク確立」に変わる。
【００３８】
これにより、ブラウザー４２及びウェブサーバー回路カード５０は、ブロック６２に示すように、ネットワーク４０から「サービス終了」の状態信号６４を受信する前に、データ交換を行うことが可能になる。この場合、ネットワーク４０は、ブラウザー４２とウェブサーバー回路カード５０との間のデータ交換の間に、パケット接続を解除する。
【００３９】
次いで、ウェブサーバー回路カード５０がそのＢＩＰチャネルにおいて「リンク未確立」の状態信号を受信したことに応答して、ウェブサーバー回路カード５０は「閉チャネル」状態信号６６を生成し、発信する。
【００４０】
次いで、ＴＣＰ／ＩＰクライアント４４とＴＣＰ／ＩＰサーバー４６との間の接続切断６８が起こり、その結果、ウェブサーバー回路カード５０からの「閉チャネル」状態信号６６により、ブラウザー４２とウェブサーバー回路カード５０との間の接続が遮断される。
【００４１】
ＴＣＰ／ＩＰクライアント４４とＴＣＰ／ＩＰサーバー４６との間の接続切断６８以後、ウェブサーバー回路カード５０に送られるチャネル状態信号は「リンク未確立」状態のままである。
【００４２】
上述のように、ブラウザー４２における接続遮断及び再接続の試みは移動式無線通信装置におけるデータ交換速度の低下をもたらす。
【００４３】
図３は、従来の移動式無線通信装置内において生じるチャネル状態信号と、ネットワークとの相互作用なしにチャネル状態事象が生じる標準ＴＣＰ接続とを示すタイミングチャートである。
【００４４】
図３は、従来技術において生じる問題点を示すものである。その問題点とは、ＴＣＰ／ＩＰサーバーが前回の接続と一致する次の接続を受ける用意ができていることをウェブサーバー回路カード５０に知らせる手段が存在しないことである。
【００４５】
従って、ウェブサーバー回路カード５０は、接続を確立させるためには、自動再接続フラグがあるにもかかわらず、ＢＩＰチャネルを閉じ、次いで、ＢＩＰチャネルを再び開くことを必要とする。
【００４６】
このため、移動式無線通信装置内において生じるメッセージの数は増加し、移動式無線通信装置内におけるデータ交換の速度を低下させる。これにより、移動式無線通信装置の通常のサービスが一時的に（例えば、ウェブサーバースマートカードにより開始される動作の終了と開始との間）利用不可能になる。
【００４７】
図３は、ネットワーク４０、ブラウザー４２、ＴＣＰ／ＩＰクライアント４４、ＴＣＰ／ＩＰサーバー４６、ＢＩＰ／ＳＡＴＳ４８、ウェブサーバー回路カード５０を示す。
【００４８】
「開チャネル」状態信号５２は、自動再接続フラグをセットした状態で、ウェブサーバー回路カード５０から発信される。
【００４９】
図３の場合、ネットワーク４０からの状態信号の発信はなく、プロセスは、矢印５４に示すように、第一の要求を送信することにより、ブラウザー４２から開始される。
【００５０】
第一の要求を送信する前に、矢印５６に示すように、「リンク未確立」のチャネル状態信号がＴＣＰ／ＩＰサーバー４６からウェブサーバー回路カード５０に送信される。
【００５１】
次いで、矢印５８に示すように、「リンク確立」のチャネル状態へ状態が変わり、さらに、ＴＣＰ／ＩＰサーバー４６とＴＣＰ／ＩＰクライアント４４との間において接続６０が確立される。
【００５２】
接続６０に続けて、さらに、チャネル状態５８の確立時点において、ＴＣＰ接続状態信号がウェブサーバー回路カード５０に送信されるが、サーバー状態に関する情報、特に、ＴＣＰ／ＩＰサーバー４６がチャネルで待機状態にあるか否かについての情報は送信されない。
【００５３】
リンクの確立に続いて、ブロック６２に示すように、ブラウザー４２とウェブサーバー回路カード５０は必要なデータの交換を行う。
【００５４】
図３に関して述べたチャネル状態及び接続モードは、図２において当初に生じるチャネル状態及び接続モードと一致している。
【００５５】
しかしながら、図３においては、さらに、ブラウザー４２とウェブサーバー回路カード５０との間のデータ交換に続いて、矢印７２に示すように、ＴＣＰ／ＩＰサーバー４６とＴＣＰ／ＩＰクライアント４４との間において接続遮断がなされ、これにより、矢印７４に示すように、チャネル状態は「リンク未確立」に変わる。
【００５６】
接続遮断７２を示す信号は、ウェブサーバー回路カード５０の構造を単純化するため、受信側のバッファーが空であって、かつ、データ送信中及びデータ送信前ではないときに、送信するようにすることができる。
【００５７】
矢印７８に示すように、第二の要求７６により接続が成功すると、ＴＣＰ／ＩＰサーバー４６は、ウェブサーバー回路カード５０に対するチャネル状態が、矢印８０に示すように、「リンク確立」に変わるように、ウェブサーバー回路カード５０に対する接続状態の変化を開始する。
【００５８】
リンクが確立されると、ブラウザー４２とウェブサーバー回路カード５０とは、ブロック８２に示すように、新たなデータ交換を開始する。
【００５９】
チャネル状態７４の終了、それに続いて行われるブラウザー４２による第二の要求７６、その後の接続７８、及び、状態変化８０に起因して多数のメッセージが発生し、これにより、ブラウザー４２とウェブサーバー回路カード５０との間のデータ交換の速度が低下するという問題を生じる。
【００６０】
本発明は以上のような従来技術における問題点に鑑みてなされたものであり、従来技術における問題点を解決可能な、移動式無線通信装置における接続状態を管理する方法及び接続状態を管理可能な移動式無線通信装置を提供することを目的とする。
【課題を解決するための手段】
【００６１】
上記の目的を達成するため、本発明は、クライアント／サーバー・ペアを有する移動式無線通信装置にサーバー装置を接続するチャネルの接続状態を管理する方法であって、前記クライアント／サーバー・ペアが切断されたことを示す情報を受信したときには、クライアントが前記クライアント／サーバー・ペア間で接続をリセットしたことを示す状態信号を前記移動式無線通信装置から前記サーバー装置に送信し、前記クライアントが前記サーバー装置に接続したことを示す情報を受信したときには、前記クライアントが前記サーバー装置に接続したことを示す状態信号を前記移動式無線通信装置から前記サーバー装置に送信する方法を提供する。
【００６２】
本方法においては、前記サーバー装置が遠方のクライアントからの接続を待っていることを示す状態信号をさらに送信することが好ましい。
【００６３】
本方法においては、前記クライアントが前記サーバー装置に接続したことを示す状態信号、及び、前記サーバー装置が次の接続のための準備を完了していることを示す状態信号を送信することが好ましい。
【００６４】
本方法においては、前記クライアントが前記サーバー装置との接続をリセットしたときに、前記サーバー装置は次の接続のための準備を完了していることを示す状態信号を送信することが好ましい。
【００６５】
本方法においては、前記状態信号は、自動再接続フラグをセットして、開チャネル状態において、送信され、前記状態信号は前記自動接続フラグをセットした状態で開チャネルを参照して定められるものであることが好ましい。
【００６６】
本方法においては、前記クライアントは、接続状態事象として、前記サーバー装置に接続されることを示す状態信号を送信することが好ましい。この状態信号は、例えば、開チャネル信号及びデータ送信信号などのコマンド信号に対して応答する信号である。
【００６７】
本方法においては、前記クライアントが接続をリセットしたことを示すチャネル状態は、接続または切断状態事象として、提供されるものであることが好ましい。
【００６８】
さらに、本発明は、サーバー装置と、前記サーバー装置の接続のためのチャネルとを有する移動式無線通信装置であって、前記移動式無線通信装置はクライアント／サーバー・ペアを有しており、前記クライアント／サーバー・ペアが切断されたことを示す情報を受信したときには、クライアントが前記クライアント／サーバー・ペア間で接続をリセットしたことを示す状態信号を前記サーバー装置に送信し、前記クライアントが前記サーバー装置に接続したことを示す情報を受信したときには、前記クライアントが前記サーバー装置に接続したことを示す状態信号を前記サーバー装置に送信する移動式無線通信装置を提供する。
【００６９】
本移動式無線通信装置においては、前記サーバー装置が遠方のクライアントからの接続を待っていることを示す状態信号をさらに送信することが好ましい。
【００７０】
本移動式無線通信装置においては、前記クライアントが前記サーバー装置に接続したことを示す状態信号、及び、前記サーバー装置が次の接続のための準備を完了していることを示す状態信号を送信することが好ましい。
【００７１】
本移動式無線通信装置においては、前記クライアントが前記サーバー装置との接続をリセットしたときに、前記サーバー装置は次の接続のための準備を完了していることを示す状態信号を送信することが好ましい。
【００７２】
本移動式無線通信装置においては、前記状態信号は、自動再接続フラグをセットして、開チャネル状態において、送信され、前記状態信号は前記自動接続フラグをセットした状態で開チャネルを参照して定められるものであることが好ましい。
【００７３】
本移動式無線通信装置においては、前記クライアントが接続をリセットしたことを示すチャネル状態は、接続または切断状態事象として、提供されるものであることが好ましい。
【００７４】
例えば、前記サーバー装置はスマートカードサーバー装置からなる。
【００７５】
本移動式無線通信装置は、チャネル状態信号及び上述のような詳細を示す信号を送信することが好ましい。
【００７６】
本発明により、伝達接続状態とＴＣＰ接続の転送接続状態との報告を分割することが可能になる。この点は、サーバー装置のクライアントが遠方のクライアントである場合に、特に有用である。
【発明の効果】
【００７７】
本発明によれば、加入者特定モジュールカード（スマートカード）装置がサーバーモードで作動することを可能にする。これは、伝達接続状態と転送接続状態（すなわち、ＴＣＰ接続）との間を分断することにより、達成することができる。この点は、加入者特定モジュールカード（スマートカード）用サーバー装置のクライアントが遠方のクライアントである場合に、特に有用である。
【図面の簡単な説明】
【００７８】
【図１】従来の移動式無線通信装置において生じるチャネル状態を示すタイミングチ    ャートである。
【図２】従来の移動式無線通信装置において生じるチャネル状態を示すタイミングチ    ャートである。
【図３】従来の移動式無線通信装置において生じるチャネル状態を示すタイミングチ    ャートである。
【図４】本発明に係る移動式無線通信装置において生じるチャネル状態を示すタイミ    ングチャートである。
【図５】本発明に係る移動式無線通信装置において生じるチャネル状態を示すタイミ    ングチャートである。
【発明を実施するための形態】
【００７９】
本発明によれば、移動式無線通信装置とウェブサーバー回路カード５０との間の混乱を避けるために、特定のチャネル状態信号を発信し、ＴＣＰサーバーの正確な状態をウェブサーバー回路カード５０に知らせる。
【００８０】
従来は、クライアントとサーバーとの間の接続が切断されると、「リンク未確立」の状態信号がウェブサーバー回路カード５０に対して送信されたが、本発明においては、それに代えて、移動式無線通信装置が「接続切断」の状態信号をウェブサーバー回路カード５０に対して送信するように構成されている。
【００８１】
さらに、クライアントとサーバーとの間の接続が切断されたときに、「リンク未確立」の状態信号をウェブサーバー回路カード５０に対して送信することに代えて、移動式無線通信装置は「接続中」の状態信号をウェブサーバー回路カード５０に対して送信するように構成することもできる。
【００８２】
さらに、ウェブサーバー回路カード５０の特定のポートで待機の状態にある場合には、移動式無線通信装置は「待機」の状態信号をウェブサーバー回路カード５０に対して送信するように構成することもできる。
【００８３】
本発明は、従来技術と比較して、移動式無線通信装置内のチャネルの作動及び管理に関して、改良がなされている。
【００８４】
例えば、本発明に係る作動を行うウェブサーバー回路カード５０はネットワーク事象とＴＣＰクライアント／サーバー接続事象との間の区別を行うことが可能である。
【００８５】
また、スマートカードウェブサーバー回路カード５０は移動式無線通信装置から離れた場所からもアクセス可能であり、さらに、特定のアドレスを発行することも可能である。
【００８６】
移動式無線通信装置とウェブサーバー回路カード５０との間のデータ交換の改良も可能であり、「待機」状態信号が連続するＴＣＰクライアント接続の間に各ウェブサーバー回路カード５０に対して発信され、受信される。その後は、ウェブサーバー回路カード５０は、ＴＣＰサーバーの接続の現状を維持するために、閉または開チャネルの手続を開始する必要はなくなる。
【００８７】
上記の３つの新しいチャネル状態事象、すなわち、「接続」、「切断」及び「待機」を用いることにより、本発明においては、次の５つのチャネル状態事象を実現することができる。
【００８８】
「待機」状態は、サーバーが遠方からの接続を待っていることを示す。これに対して、「接続」状態は、クライアントがサーバーと接続していることを示す。これは、例えば、自動再接続フラグを用いることなく、開チャネルによって、示される。
【００８９】
「切断」状態は、クライアントが接続をリセットしたことを示す。これは、例えば、自動再接続フラグを用いることなく、開チャネルによって、示される。
【００９０】
上記の３つの新しいチャネル状態事象の組み合わせとして、「接続及び待機」のチャネル状態がある。これは、クライアントがサーバーと接続しており、かつ、サーバーが次の接続に対する用意が整っており、自動再接続フラグを用いた開チャネルの状態にあることを示す。
【００９１】
同様に、上記の３つの新しいチャネル状態事象の組み合わせとして、「切断及び待機」のチャネル状態がある。これは、クライアントがサーバーとの接続をリセットし、さらに、サーバーが次の接続要求に対して即座に用意を整えることを示す。これは、例えば、自動接続フラグを用いた開チャネルに対応している。
【００９２】
「切断及び待機」及び「切断及び待機」のチャネル状態を用いることにより、ウェブサーバー回路カード５０に送信される状態信号の数を減らすことができる。これは、そのような組み合わせを用いないと、移動式無線通信装置は「接続」及び「待機」のチャネル状態信号をウェブサーバー回路カード５０に対して連続して送信しなければならないからである。
【００９３】
以下、図４及び図５を参照して、本発明の実施形態を説明する。
【００９４】
図４は、本発明に係る移動式無線通信装置におけるチャネル状態事象のタイミングチャートである。
【００９５】
特に、図４は、図２のタイミングチャートに示した問題が本発明によって如何に解決されるかを示すものである。
【００９６】
図２において用いた参照符号は図４においても用いることとし、ネットワーク４０、ブラウザー４２、ＴＣＰ／ＩＰサーバー４６、ＴＣＰ／ＩＰクライアント４４、ＢＩＰ／ＳＡＴＳ４８及びウェブサーバー回路カード５０間の信号を示す参照符号は図２と図４とで同じものを用いる。
【００９７】
同様に、図２に示したチャネル状態辞書及び要求５２、５４、接続及びデータ交換６０、６２、６４は図４においても同様のものとして示されている。
【００９８】
しかしながら、図４において示す本発明が従来技術と異なるのは、チャネル状態「待機」８４とチャネル状態「接続」８６は、ブラウザー４２による第一の要求５４の送信、ＴＣＰ／ＩＰクライアント４４とＴＣＰ／ＩＰサーバー４６との間の最初の接続６０、ブラウザー４２とウェブサーバー回路カード５０との間のデータ交換６２よりも前に生じる。
【００９９】
矢印８４、８６により示されるＴＣＰ接続状態を示す状態信号はウェブサーバー回路カード５０に送信される。
【０１００】
ブラウザー４２とウェブサーバー回路カード５０との間のデータ交換６２に続いて、「サービス終了」状態信号６４がネットワーク４０から送信される。これは、ブラウザー４２とウェブサーバー回路カード５０との間のデータ交換６２の間に、ネットワーク４０がパケット接続を解除するからである。
【０１０１】
チャネル状態信号８４、８６の変更に伴い、ネットワーク４０から発信される「サービス終了」状態信号６４によっては、ウェブサーバー回路カード５０は影響を受けず、さらに、参照符号８８に示すように、ウェブサーバー回路カード５０がＢＩＰチャネルを閉じることはない。
【０１０２】
次いで、ブロック９０に示すように、ブラウザー４２とウェブサーバー回路カード５０との間のデータ交換は継続して行うことが可能であり、これにより、図２に示した先行技術において生じていた問題点は本発明においては生じない。
【０１０３】
図５は、本発明に係る移動式無線通信装置におけるタイミングチャートであり、図３に示した先行技術における問題点が本発明により如何に解決されるかが示されている。
【０１０４】
図３において用いた参照符号は図５においても用いることとし、ネットワーク４０、ブラウザー４２、ＴＣＰ／ＩＰサーバー４６、ＴＣＰ／ＩＰクライアント４４、ＢＩＰ／ＳＡＴＳ４８及びウェブサーバー回路カード５０並びにそれらの間のチャネル状態信号及び接続５２、５４、６０、６２、７２、７６、７８、８２は図３と図５とで同じものを用いる。
【０１０５】
本発明によれば、ＢＩＰチャネル状態に関連して生じるチャネル状態信号が従来とは異なるため、従来技術における問題点が解決される。
【０１０６】
すなわち、ブラウザー４２が第一の要求５４を送信する前に、「待機」のチャネル状態信号９２がＢＩＰ／ＳＡＴＳ４８からウェブサーバー回路カード５０に対して送信される。
【０１０７】
ブラウザー４２が第一の要求５４を送信した後に実現される接続６０に続いて、かつ、ブラウザー４２とウェブサーバー回路カード５０との間のデータ交換６２の前に、本発明によって、チャネル状態は「接続及び待機」にスイッチされる。
【０１０８】
ＴＣＰ／ＩＰサーバー４６とＴＣＰ／ＩＰクライアント４４との間の接続遮断７２に続いて、ＢＩＰチャネル状態は、矢印９６に示すように、「切断及び待機」になる。なお、ウェブサーバー回路カード５０の構造を単純化するため、接続遮断７２の信号は、受信側のバッファーが空であって、データ送信中及びデータ送信前ではないときに、送信することが好ましい。
【０１０９】
接続成功７８に続いて、チャネル状態は、矢印９８に示すように、「接続及び待機」に変わり、その後、ブロック８２に示すように、ブラウザー４２とスマートカードウェブサーバーとは新たにデータ交換を行うことが可能になる。
【０１１０】
図５においては、図３と同様に、ネットワーク４０からの相互作用はない。
【０１１１】
次いで、ＴＣＰサーバー状態を容易に決定することができ、それにより、ＴＣＰサーバーが次の接続を行う準備ができていることをウェブサーバー回路カード５０に知らせることが容易に可能になる。
【０１１２】
本発明の利点の一つとして、図３において示したような、先行技術において生じていた追加のメッセージは、図５においては、生じない。
【０１１３】
本発明によれば、サーバーモードの場合のＢＩＰチャネル接続状態の管理を改良することができ、さらに、ＴＣＰ接続の伝達接続状態と転送接続状態とを分けることができる。これは、ウェブサーバー回路カード５０のクライアントが遠方のクライアントである場合に特に有用である。
【０１１４】
しかしながら、遠方のクライアントに対しても、例えば、サーバーモード時における移動式無線通信装置とＵＩＣＣスマートカードとの間のＢＩＰチャネルに対する接続状態の管理を有用に改良することが可能である。
【０１１５】
なお、本発明の範囲は上記の実施形態には限定されない。例えば、本発明は、ＴＣＰ接続のみならず、遠隔接続に対しても同様に適用可能である。例えば、移動式無線通信装置のＩＰアドレスがあるユーザーに対して既知である場合、そのユーザーはそのユーザー自身のブラウザーを用いてウェブサーバーに対して接続することが可能である。
【産業上の利用可能性】
【０１１６】
本発明は種々の周辺機器に拡張することが可能である。例えば、民生機器、ＳＤカードやＭＭＣカードなどのメモリーカード、カメラ機器、あるいは、移動式ＴＣＰ／ＩＰスタックを用いるサーバーとしての特徴を有するあらゆる周辺機器などである。
【０１１７】
同様に、本発明は、そのような周辺機器とＴＣＰ接続を扱う機器との間のプロトコールに対しても適用することも可能である。
【符号の説明】
【０１１８】
４０  ネットワーク
４２  ブラウザー
４４  ＴＣＰ／ＩＰクライアント
４６  ＴＣＰ／ＩＰサーバー
４８  ＢＩＰ／ＳＡＴＳ
５０  ウェブサーバー回路カード
【図１】
0005321708.tif 000002
【図２】
0005321708.tif 000003
【図３】
0005321708.tif 000004
【図４】
0005321708.tif 000005
【図５】
0005321708.tif 000006